(57)【特許請求の範囲】
【請求項１】
髭剃りヘッドを含む髭剃り器であって、
前記髭剃りヘッドは、少なくとも１つの切断刃と、２つの皮膚支持部材とを含み、各皮膚支持部材は、動作中に前記髭剃りヘッドが処理されるべき皮膚面と接触する皮膚支持面を含み、前記切断刃は、前記髭剃りヘッドの髭剃り方向に対して垂直方向に延びる刃先を有し、前記皮膚支持部材は、前記髭剃り方向において見られるときに、前記切断刃の前後にそれぞれ配設され、前記皮膚支持面は、共通の平面に接し、前記切断刃及び前記皮膚支持部材は、サブフレームに固定され、該サブフレームは、スプリングユニットを用いてメインフレームに結合され、且つ、前記スプリングユニットによって加えられるバネ力に抗して前記メインフレームに対して変位可能であり、
前記メインフレームは、２つの更なる皮膚支持部材を含み、各更なる皮膚支持部材は、動作中に前記髭剃りヘッドが前記処理されるべき皮膚面と接触する皮膚支持面を含み、前記２つの更なる皮膚支持部材は、前記髭剃り方向においてみられるときに、前記サブフレームの前後にそれぞれ配列され、前記２つの更なる皮膚支持部材の前記皮膚支持面は、前記共通の平面に接することを特徴とする、
髭剃り器。
【請求項２】
前記バネ力は、前記共通の平面に向けられ、前記髭剃りヘッドが前記皮膚面に接触しない状態において、前記サブフレームは、前記バネ力の影響の下で、前記メインフレームのストッパーに当接することを特徴とする、請求項１に記載の髭剃り器。
【請求項３】
前記サブフレームは、機械的スプリングユニットを用いて前記メインフレームに固定され、２つの互いに垂直な回転軸について前記メインフレームに対して少なくとも回転可能であり、前記回転軸に対して垂直な変位方向において前記メインフレームに対して変位可能であることにより、前記バネユニットを変形させることを特徴とする、請求項１に記載の髭剃り器。
【請求項４】
前記スプリングユニットは、中央部位と、互いに離れて面する二対のリーフスプリングとを含み、該リーフスプリングは、前記髭剃り方向に対して垂直な方向に前記中央部位からそれぞれ延び、且つ、コーナー付近の位置で前記サブフレームをそれぞれ支持することを特徴とする、請求項３に記載の髭剃り器。
【請求項５】
前記スプリングユニットの前記中央部位は、球形に階層的に造形された支持要素を備え、前記スプリングユニットは、前記支持要素を用いて前記メインフレームに位置することを特徴とする、請求項４に記載の髭剃り器。
【請求項６】
前記髭剃りヘッドは、前記バネ力を調整する手段を備えることを特徴とする、請求項１に記載の髭剃り器。
【請求項７】
皮膚平滑化部材が前記メインフレーム及び／又は前記サブフレーム上に設けられ、前記皮膚平滑化部材は、髭剃り方向において見られるときに、前記切断刃の前に配置されることを特徴とする、請求項１に記載の髭剃り器。
【請求項８】
皮膚接触部材が前記メインフレーム及び／又は前記サブフレーム上に設けられ、前記皮膚接触部材は、髭剃り補助具を含むことを特徴とする、請求項１に記載の髭剃り器。
【請求項９】
少なくとも１つの切断刃と、２つの皮膚支持部材とを含む、髭剃りヘッドであって、各皮膚支持部材は、動作中に前記髭剃りヘッドが処理されるべき皮膚面と接触する皮膚支持面を含み、前記切断刃は、当該髭剃りヘッドの髭剃り方向に対して垂直方向に延びる刃先を有し、前記皮膚支持部材は、前記髭剃り方向において見られるときに、前記切断刃の前後にそれぞれ配設され、各皮膚支持面は、共通の平面に接し、前記切断刃及び前記皮膚支持部材は、サブフレームに固定され、該サブフレームは、スプリングユニットを用いてメインフレームに結合され、且つ、前記スプリングユニットによって加えられるバネ力に抗して前記メインフレームに対して変位可能であり、前記メインフレームは、２つの更なる皮膚支持部材を含み、各更なる皮膚支持部材は、動作中に前記髭剃りヘッドが前記処理されるべき皮膚面と接触する皮膚支持面を含み、前記２つの更なる皮膚支持部材は、前記髭剃り方向においてみられるときに、前記サブフレームの前後にそれぞれ配列され、前記２つの更なる皮膚支持部材の前記皮膚支持面は、前記共通の平面に接することを特徴とする、髭剃りヘッド。
【発明の詳細な説明】
【０００１】
本発明は、少なくとも１つの刃と２つの皮膚支持部材とを含む髭剃りヘッドを含む髭剃り器に係り、刃は髭剃りヘッドの髭剃り方向と垂直に延びる刃先を有しており、皮膚支持部材は、髭剃り方向から見て刃の前部と背後とにそれぞれ配置され、接触面に実質的に延在しており、操作時、髭剃りヘッドは処理される皮膚面と接触する一方で、刃及び皮膚支持部材は、サブフレームに固定され、サブフレームは、メインフレームに結合され、メインフレームに対して、スプリング力に対抗して、変位することができる。
【０００２】
本発明は、更に、本発明による髭剃り器に適切に使用されることができる髭剃りヘッドに関する。
【０００３】
冒頭で言及した種の髭剃り器は、国際出願番号A-97/26119に開示されている。公知の髭剃り器の髭剃りヘッドは、髭剃り方向から見て２つの皮膚支持部材の間に配置された２つの相互に平行な刃を含む。ユーザーが髭剃りヘッドを皮膚面に置く場合、負荷される押し当て力は、皮膚面に主に２つの皮膚支持部材を介して伝達される。結果として、皮膚面に刃によって負荷される接触力は制限され、髭剃りヘッドを皮膚面上で髭剃り方向に移動する最中の、刃と皮膚面との間の過剰な接触力の結果として生じうる皮膚面への損傷は、できる限り予め排除される。公知の髭剃り器において、髭剃りヘッドのメインフレームはハンドルに取り付けられる一方で、髭剃りヘッドのサブフレームはメインフレームに４つの機械的なねじりバネによって取り付けられる。結果として、髭剃りヘッドが皮膚面上を移動するとき、サブフレームは可能な限り正確に皮膚面の表皮面に追従し、刃が可能な限り完全に皮膚面に連続的に接触するようになる。
【０００４】
公知の髭剃り器の欠点は、刃の位置に存在し押し当て力の影響で発展する皮膚の湾曲が、押し当て力の大きさに依存することにある。押し当て力が比較的小さい場合、皮膚の湾曲は比較的小さく、皮膚面の比較的限度のある平滑度しか得られない。押し当て力が比較的大きい場合、皮膚の湾曲は比較的大きく、非常に平滑な皮膚面が生じることになるが、刃と皮膚面との間の比較的大きな接触力の結果皮膚の損傷をもたらす場合もある。結果として、公知の髭剃り器によって得られる髭剃りの結果は、多分に個人差があり、特にユーザーが皮膚面に髭剃りヘッドを置くときにユーザーによって負荷される押し当て力に依存している。
【０００５】
本発明の目的は、冒頭で言及した種の髭剃り器を提供することにあり、それによって達成される髭剃り結果が、個人差が大いに少ないものとなり、ユーザーが皮膚面に髭剃りヘッドを置くときに負荷される押し当て力への依存性がより大きく減少されたものとなる。
【０００６】
この目的を達成するため、本発明による髭剃り器は、メインフレームが、髭剃り方向でサブフレームの前後にそれぞれ配列され、接触面に実質的に延在する２つの更なる皮膚支持部材を含むことを特徴とする。ユーザーが本発明による髭剃り器を皮膚面に置く場合、負荷された押し当て力は、２つの更なる皮膚支持部材を介して皮膚面に伝達される。押し当て力の結果、２つの更なる皮膚支持部材間の皮膚の湾曲が発展するので、２つの更なる皮膚支持部材間の皮膚の湾曲は、サブフレームの２つの更なる皮膚支持部材によっても支持され、サブフレームは、メインフレームに対して、皮膚の湾曲の影響により、バネ力に抗して、バネ力がサブフレーム上の皮膚面によって負荷される接触力と略平衡状態となる釣り合い位置まで、移動させされる。髭剃りヘッドは、好ましくは、バネ力を負荷する手段を含み、バネ力は、皮膚の湾曲が通常の値のとき、メインフレームに対するサブフレームの位置とは、可能な限り少なく依存する。結果として、皮膚面がサブフレームの皮膚支持部材によって釣り合い位置で支持される支持力であって、バネ力の大きさによって決定される支持力が、２つの更なる皮膚支持部材間の皮膚の湾曲とは可能な限り少なく依存し、従って負荷される押し当て力とは可能な限り少なく依存することが、達成される。サブフレームの２つの皮膚支持部材間、即ち刃の位置にある皮膚の湾曲が、サブフレームの皮膚支持部材の支持力によって決定されるので、刃の位置にあるこの皮膚の湾曲も、負荷される押し当て力に可能な限り少なく依存し、それに伴い実現される髭剃りの結果も、負荷される押し当て力に可能な限り少なく依存する。
【０００７】
本発明による髭剃り器の特定の実施態様は、バネ力が接触面に向けられており、サブフレームが、髭剃りヘッドが皮膚面に接触しない状態において、バネ力の影響によりメインフレームのストッパーに当接することを特徴とする。ストッパーを用いることによって、上記状態において、バネ力が、サブフレームの２つの皮膚支持部材間の所望の皮膚の湾曲によって決定される所定の所望値を有することが、構造的に単純な態様で達成される。
【０００８】
本発明による髭剃り器の更なる実施態様は、サブフレームが、メインフレームに、機械的なスプリングユニットによって、固定され、メインフレームに対して、２つの直交する回転軸まわりに少なくとも回転可能であり、２つの回転軸に垂直な方向に変位可能であり、それによって、スプリングユニットを変形させることを特徴とする。結果として、髭剃りヘッドが皮膚面上を移動するとき、サブフレームは、皮膚面の表面形状に非常に正確に追従し、刃が、皮膚と完全に接触した状態に、若しくは略完全に接触した状態に、留まって効果的な髭剃り処理を生むようになる。
【０００９】
本発明による髭剃り器の更なる実施態様は、スプリングユニットが、中央部位と、互いに離れて向けられ、髭剃り方向と略垂直方向に、中央部位からそれぞれ伸張し、コーナー付近の位置でサブフレームをそれぞれ支持するリーフスプリングの２つの対とを含むことを特徴とする。結果として、スプリングユニットの構造は、簡易であり、中央部位及びリーフスプリングの２つの対は、単一の部品として、例えば単一の板金から製造可能である。リーフスプリングの２つの対を適用することによって、サブフレームが、メインフレームに対して、接触面に対して略平行に広がる仮想面上の２つの直交する回転軸まわりに回転することが可能であり、サブフレームを接触面に略垂直方向に変位させることが可能である。
【００１０】
本発明による髭剃り器の特定の実施態様は、球形に階層的に造形された支持要素が、スプリングユニットの上記中央部位に、上記スプリングユニットが上記メインフレームに着座する手段として設置されたことを特徴とする。球形に階層的に造形された支持要素を使用することによって、２つの直交する回転軸まわりのメインフレームに対する回転能力が改善される。
【００１１】
本発明による髭剃り器の更なる実施態様は、髭剃りヘッドにバネ力を調整する手段を設置されたことを特徴とする。バネ力は、上記手段によって調整できるので、サブフレームの皮膚支持部材間にある皮膚の湾曲だけでなく、皮膚面によって負荷されるサブフレームへの接触力も、調整可能である。これによって、髭剃り器のユーザーが、バネ力を所望のレベル若しくは最適なレベルに設定することが可能となる。
【００１２】
本発明による髭剃り器の更なる実施態様は、メインフレーム、及び／又はサブフレームに、髭剃り方向で刃先の前に配列された、皮膚を伸ばす皮膚平滑化部材が、設置されたことを特徴とする。皮膚平滑部材を用いることによって、サブフレームの２つの皮膚支持部材間の皮膚の湾曲、及び／又は、メインフレームの２つの更なる皮膚支持部材間の皮膚の湾曲が制限され、皮膚面とハードウェアとの間の接触による過剰な皮膚の湾曲の場合に起こりうる皮膚の損傷及び切り傷が、可能な限り排除されるようになる。更に、皮膚平滑化部材は、皮膚支持部材として使用でき、髭剃り器の部品数の低減がもたらされることになる。
【００１３】
本発明による髭剃り器の特定の実施態様は、メインフレーム、及び／又はサブフレームに、髭剃り補助具を含む皮膚接触部材が設置されたことを特徴とする。皮膚接触部材を用いることによって、髭剃りの快適性が向上される。髭剃り補助具は、例えば髭剃りヘッドと皮膚面との間の摩擦力を低減する皮膚用潤滑剤を含む。髭剃り補助具は、皮膚接触部材に永久的に存在してよく、或いは、皮膚接触部材が皮膚に接触するときに分泌されてもよい。皮膚接触部材は、更には皮膚支持部材として機能してよく、髭剃り器に使用される部品点数の低減がもたらされることになる。
【００１４】
本発明のこれらの局面や他の局面は、後述する実施例を参照すると、明らかになり解明されるだろう。
【００１５】
図１に示された本発明による髭剃り器の実施例は、湿式の髭剃り器であり、図示されていない結合用の機構によってハンドル３に脱着可能に結合された髭剃りヘッド１を含む。髭剃りヘッド１は、３つの相互に平行な刃５を格納し、刃のそれぞれは、髭剃りヘッドの髭剃り方向Ｘと垂直に延びる刃先７を備える。図１及び図２に示すように、刃５は、髭剃りヘッド１のサブフレーム９に固定される。２つの皮膚支持部材１１，１３も、サブフレーム９に固定され、皮膚支持部材も髭剃り方向Ｘと垂直に延び、髭剃り方向Ｘから見て刃５の前後にそれぞれ配設される。皮膚支持部材１１，１３のそれぞれは、髭剃りヘッド１が操作時に処理されるべき皮膚面に接触する仮想の接触面１７で実質的に広がる皮膚支持面１５を含む。更なる皮膚支持部材２１，２３は、上記接触面１７で同様に実質的に広がる皮膚支持面２５を含む。
【００１６】
図２に示すように、サブフレーム９は、メインフレーム１９に、機械的なスプリングユニット２７によって結合される。メインフレーム１９、サブフレーム９、及びスプリングユニット２７は、図３において、髭剃りヘッドの個別の部品として示される。図３に示すように、スプリングユニット２７は、中央部位２９と、リーフスプリング３１，３３の対、及び３５，３７の対とを含む。中央部位２９は、髭剃り方向Ｘと略平行に伸張するストリップ３９と、ストリップ３９の第１の端部４１から髭剃り方向Ｘと略垂直に略反対方向に伸張するリーフスプリング３１，３３と、ストリップ３９の第２の端部４３から髭剃り方向Ｘと略垂直に略反対方向に伸張するリーフスプリング３５，３７とを含む。スプリングユニット２７は、従って単純な構造であり、一枚の板金から、単一の一体的な部品として製造できる。ストリップ３９の２つの端部４１，４３は、メインフレーム１９に配設された２つの定着用カム４５に、結合される。２つの定着用カム４５は、図２の断面に示されるが、図３においては、２つの定着用カム４５のうちの一のみが示される。リーフスプリング３１，３３，３５，３７のそれぞれは、端部４７を有し、４箇所のコーナー４９のうちの一のそばでサブフレーム９をそれぞれ支持する。図２に示すように、髭剃りヘッド１が処理されるべき皮膚面に接触していない状態では、サブフレーム９は、スプリングユニット２７のリーフスプリング３１，３３，３５，３７によって負荷される弾性的なプリテンションＦｓ（予め付与された張力）の影響で、メインフレーム１９のストッパー５１に接して留まり、プリテンションＦｓは、スプリングユニット２７の中央部位２９から見て接触面１７への方向に向いている。
【００１７】
ユーザーが本発明による髭剃り器の髭剃りヘッド１を処理されるべき皮膚面上に置く場合、ユーザーは髭剃りヘッド１上にハンドル３を介して押し当て力を負荷するが、押し当て力の大きさは多分に個人差のあるものである。髭剃りヘッド１の上述した構造の結果として、本発明による髭剃り器を使用することによって得られる髭剃り結果及び快適性は、押し当て力の大きさとは独立しており、若しくは僅かに依存するだけである。メインフレーム１９は更なる皮膚支持部材２１，２３を備えるので、負荷された押し当て力Ｆｐは、図４に概略的に示されるように、皮膚面５３に更なる皮膚支持部材２１，２３を介して大きく伝達され、更なる皮膚支持部材２１，２３の間に皮膚の湾曲ω1を生み、その大きさは押し当て力Ｆｐの大きさに依存する。皮膚の湾曲ω1の結果として、メインフレーム１９の更なる皮膚支持部材２１，２３の間の皮膚面５３も、押し当て力Ｆｐと比較すると小さい力である接触力Ｆｃを以って、サブフレーム９の皮膚支持部材１１，１３に接して留まり、接触力Ｆｃの結果、皮膚支持部材１１，１３の間に、即ち刃５の位置に、皮膚の湾曲ω2が形成される。サブフレーム９は、メインフレーム１９に、スプリングユニット２７によってメインフレーム１９に固定されるので、サブフレーム９は、スプリングユニット２７のプリテンションＦｓに抗した接触力Ｆｃの影響で、メインフレーム１９に対して変位される。結果として、皮膚面５３は緩やかになり、接触力ＦｃはプリテンションＦｓと略同一の値まで減少し、サブフレーム９がメインフレーム１９に対して釣り合い位置を取るようになる。リーフスプリング３１，３３，３５，３７は、好ましくは、押し当て力Ｆｐが通常値のときにサブフレーム９がメインフレーム１９に対して限られた距離だけ変位するように、寸法を決定され予め圧縮され、かかる変位の結果、プリテンションＦｓが変化しないか、若しくは限られた量だけ変化するようにする。メインフレーム１９に対するサブフレーム９の変位から生じる押し当て力Ｆｐが通常値のとき、接触力Ｆｃが略一定のプリテンションＦｓの所定値と略同一値であるとみなされ、サブフレーム９の釣り合い位置での接触力Ｆｃが押し当て力Ｆｐに略依存しないようにする。サブフレーム９の皮膚支持部材１１，１３の間の皮膚の湾曲ω2は接触力Ｆｃによって決定されるので、皮膚の湾曲ω2も、サブフレーム９の釣り合い位置において、押し当て力Ｆｐから独立している。髭剃り結果及び髭剃りの快適性は刃５の位置での皮膚の湾曲ω2によって実質的に決定されるので、髭剃り結果及び髭剃りの快適性の双方は、押し当て力Ｆｐに依存していないか、或いは僅かに依存しているだけである。
【００１８】
図２及び図３に示すように、メインフレーム１９の更なる皮膚支持部材２１は、髭剃り方向Ｘから見て刃５の前に配設されているが、ゴム種の材料から製造され、皮膚面と接触において比較的高い摩擦係数を有する皮膚平滑化部材となるべく具現化される。かかる皮膚平滑化部材は湿式の髭剃り器において通常的に使用され、髭剃りヘッド１が皮膚面上で移動しているとき、更なる皮膚支持部材２１，２３の間にある皮膚の湾曲を制限する。結果として、可能な限り一定である皮膚の湾曲が、更なる皮膚支持部材２１，２３の間で得られ、髭剃り器が信頼性のある安全な方法で作動するようになり、皮膚の損傷及び切り傷が排除されるようになる。更なる皮膚支持部材２１も皮膚平滑化部材としての役割をするので、髭剃り器の構造の単純化が得られる。メインフレーム１９は、更なる皮膚支持部材２１に代わって、髭剃り方向Ｘから見てサブフレーム９の前に配設される分離した皮膚支持部材と分離した皮膚平滑化部材とを備えても良いということを注意されたい。更に、皮膚支持部材１３に隣接するサブフレーム９も、髭剃り方向Ｘから見て刃５の前に配設された分離した皮膚平滑化部材を備えてもよく、或いは、皮膚平滑化部材として役割をもする皮膚支持部材を備えてもよい。本発明は、サブフレーム９のみが、髭剃り方向Ｘから見て刃５の前に配設された皮膚平滑化部材を含むような実施態様を含む。
【００１９】
図２及び図３も、メインフレーム１９の更なる皮膚支持部材２３が、髭剃りヘッド１と皮膚面との間の摩擦力を低減する皮膚用潤滑剤、若しくはスキンローションのような髭剃り補助具を含む皮膚接触部材であるべく具現化されるのを示す。髭剃り補助具を含むかかる皮膚接触部材は、湿式の髭剃り器において通常的に使用されており、髭剃りの快適性を向上する。更なる皮膚支持部材２３も皮膚接触部材として機能するので、髭剃り器の構造の単純化が得られる。メインフレーム１９は、更なる皮膚支持部材２３に代わって、分離した皮膚支持部材と分離した皮膚接触部材とを備えてもよいということを注意されたい。更に、皮膚支持部材１３に隣接する分離したサブフレーム９も、分離した皮膚接触部材を備えてよく、或いは、皮膚接触部材としても機能する皮膚支持部材を備えてもよい。本発明は、サブフレーム９のみが皮膚接触部材を含むような実施態様も含む。
【００２０】
スプリングユニット２７を用いることによって、サブフレーム９は、メインフレームに対して、上述されたように接触面１７と略垂直方向に変位することができるだけであり、図３に示された相互に垂直であって一定面１７と略平行な方向に向けられた２つの回転軸５５，５７のまわりで、メインフレーム１９に対して同様に回転することができるだけである。髭剃り方向Ｘと略平行に延びる回転軸５５まわりで回転することが可能であることにより、リーフスプリング３１，３５、及び３３，３７が反対方向に曲がるように引き起こされる。刃先７と略平行に延びる回転軸５７まわりで回転することが可能であることにより、リーフスプリング３１，３３の、リーフスプリング３５，３７と反対方向に曲がることが引き起こされる。このように、髭剃りヘッド１を皮膚面上で移動させるとき、刃５を備えたサブフレーム９が皮膚面の表面形状に最大限追従することが達成される。従って、刃５の最も大きな最大限の部分が連続的に皮膚面に接触することが確保されて、最も効果的な髭剃り方法を生むことになる。
【００２１】
上述の本発明による髭剃り器のプリテンションＦｓの所定される略一定の値は、例えば、サブフレーム９の２つの皮膚支持部材１１，１３の間の所望の皮膚の湾曲が、皮膚面の平均のタイプに対して得られるように、決定されるといった、設計パラメーターを形成する。図５は、ユーザーがプリテンションを調整できる手段が設置された、本発明による髭剃り器の他にとり得る実施態様の髭剃りヘッド１’に含まれる多数の部品を示す。図５において、図３に示す髭剃りヘッド１の部品と対応する髭剃りヘッド１’の部品は、対応する参照符号によって指示される。これ以下、髭剃りヘッド１’と髭剃りヘッド１との間の多数の相違点のみが議論される。髭剃りヘッド１’は、中央部位５９と、リーフスプリング３１’，３３’、及び３５’，３７’の２つの対とを有するスプリングユニットを含む。中央部位５９は、髭剃り方向Ｘと略平行に延びる２つのストリップ６１，６３を含む。リーフスプリング３１’，３３’は、ストリップ６１の第１の端部６５とストリップ６３の第１の端部６７とから、反対方向であって髭剃り方向Ｘと略垂直方向に、それぞれ伸張する一方で、リーフスプリング３５’，３７’は、ストリップ６１の第２の端部６９とストリップ６３の第２の端部７１とから、反対方向であって髭剃り方向Ｘと略垂直方向に、それぞれ伸張する。スプリングユニット２７のように、スプリングユニット２７’は、単一の一体部品として単一の板金から製造でき、支持要素７５は、例えばスタンピング工程によって、ブリッジ部７３内に設置されている。搭載状態では、支持要素７５は、摺動部材７９上に刃先７と平行な方向から見て相互に対して段差が設けられるように設置された支持面７７のうちの一の面上に、着座する。リーフスプリング３１’，３３’，３５’，３７’のそれぞれは、サブフレーム９を４つのコーナーのそれぞれの一のそばで支持する端部４７’を有する。髭剃りヘッド１’が処理されるべき皮膚面に接触しない状態において、サブフレーム９は、スプリングユニット２７’のリーフスプリング３１’，３３’，３５’，３７’によって負荷される弾性的なプリテンションの影響で、メインフレーム１９のストッパー５１に係合する。摺動部材７９は、刃先７と平行な方向に、２つのガイド用部材８１，８３によって、メインフレーム１９の２つのガイド用部材８５上を可動式にガイドされる。上記ガイド用部材８５のうちの一部材のみが、図５に示される。ユーザーがメインフレーム１９に対して摺動部材７９を移動させる場合、スプリングユニット２７’の支持要素７５は摺動部材７９の異なる支持面７７上に着座するようになり、リーフスプリング３１’，３３’，３５’，３７’によって負荷されるプリテンションの変化をもたらす。このように、支持面７７を備えた摺動部材７９が上記プリテンションを調整する上記手段を形成する。上記手段には、支持面７７のいずれかの上で支持要素７５をロックする従来的な手段、とりわけ公知の手段が設置されてよい。プリテンションが、皮膚支持部材１１，１３間の皮膚の湾曲だけでなく、皮膚面とサブフレーム９の皮膚支持部材１１，１３との間の接触力をも決定するので、ユーザーは最適な値若しくは個人的に好ましい値を得るべく、摺動手段７９によってサブフレーム９の皮膚支持部材１１，１３間のプリテンションを調整することができる。スプリングユニット２７’は、摺動部材７９に、球形に階層的に造形された支持要素７５により着座するので、回転軸５５，５７まわりのメインフレーム１９に対するサブフレーム９の回転自由度、及びそれゆえ髭剃りヘッド１’の表面形状追従能力は、実質的に増加される。
【００２２】
本発明は、サブフレームがメインフレームに異なる方法で、即ち上述されたスプリングユニット２７，２７’以外によって結合されるような実施態様、及び／又は、サブフレームがスプリングユニット２７，２７’の上述されたプリテンション以外の種のスプリング力に抗してメインフレームに対して変位されることができるような実施態様を更に含むことを注意されたい。かかる他にとり得る実施態様の例は、スプリング力が、サブフレームとメインフレームとに、それぞれ固定された永久磁石であって、サブフレームの磁石とメインフレームの磁石とが互いに反発する永久磁石システムの磁力であるような実施態様である。かかる他に取りうる実施態様において、サブフレームは従来のガイド手段によって、メインフレームに対して可動式にガイドされる。
【００２３】
本発明は、メインフレームには、サブフレームに対するストッパーが設置されておらず、髭剃りヘッドが皮膚面と接触しない状態において、機械的なスプリングユニットがプリテンションから略解放されているような実施態様を更に含むことを更に注意されたい。かかる実施態様において、サブフレームの皮膚支持部材は、皮膚面上に無視できる小さい接触力のみを負荷し、無視できる小さな皮膚の湾曲がサブフレームの皮膚支持部材間に形成される。
【００２４】
本発明は、髭剃りヘッドがハンドルから取り外しできず、及び／又は髭剃りヘッドが異なる数の刃、例えば１若しくは２個の刃を含むような実施態様を更に含むことを更に注意されたい。
【図面の簡単な説明】
【図１】  本発明による髭剃り器の実施例を示す図である。
【図２】  図１のラインII−IIでカットされた髭剃り器の髭剃りヘッドの断面図である。
【図３】  図２による髭剃りヘッドに含まれる多数の部品を示す図である。
【図４】  髭剃りヘッドが皮膚面と接触した状態での図２による髭剃りヘッドを示す図である。
【図５】  本発明による髭剃り器の他にとり得る実施例の髭剃りヘッドに含まれる多数の部品を示す図である。
【図１】
0005032729.tif 000002
【図２】
0005032729.tif 000003
【図３】
0005032729.tif 000004
【図４】
0005032729.tif 000005
【図５】
0005032729.tif 000006